(57)【要約】【課題】膝への負担を軽減するだけでなく、容易に着脱され、作業中のずれ、外れを防ぎ、かつ蒸れ対策がされた、保護パッドを利用した作業ズボンを提供すること。【解決手段】通気孔を有した略平板形状の弾性部材が表身頃の膝部の内側に接続され、表身頃の水平方向は弾性部材の水平方向よりも長く、弾性部材の両側面及び底面が伸縮性を有した当て生地で覆われ、表身頃の水平方向の余長に当て生地が接続され、はぎの折り返しが表身頃及び裏身頃の端に接続される。膝裏部または腰部のような裏身頃と別の部位が重なる箇所に開口部を設け、開口部をメッシュ生地で覆い、メッシュ生地が裏身頃に直接または接続部を介して接続される。【選択図】図１
2017186713.tif 000002
【特許請求の範囲】
【請求項１】
表身頃と裏身頃からなり、通気孔を有した略平板形状の弾性部材が表身頃の膝部の内側に接続されたことを特徴とする作業用ズボン。
【請求項２】
表身頃の水平方向は弾性部材の水平方向よりも長く、弾性部材の両側面及び底面は伸縮性を有した当て生地で覆われ、表身頃の水平方向の余長に当て生地が接続されたことを特徴とする、請求項１記載の作業用ズボン。
【請求項３】
はぎの折り返しが表身頃及び裏身頃の端に接続されたことを特徴とする、請求項１または２に記載の作業用ズボン。
【請求項４】
裏身頃と別の部位が重なる箇所に開口部を設け、開口部をメッシュ生地で覆い、メッシュ生地が裏身頃に直接または接続部を介して接続されたことを特徴とする、請求項１から３のいずれか１項に記載の作業用ズボン。
【請求項５】
開口部が裏身頃の膝裏部または腰部に設けられたことを特徴とする、請求項４記載の作業用ズボン。
【発明の詳細な説明】
【技術分野】
【０００１】本発明は作業用ズボンに関するものである。
【背景技術】
【０００２】膝をついて作業する際の膝への負担を軽減するために、作業用ズボンは保護パッドを利用できるようにしたものがある。
例えば、膝に対応する位置に開口を設けたポケットを形成し、ポケットの内面及び保護パッドに面ファスナーを設け、保護パッドをポケットに装着できるようにするとともにポケット内での装着位置の自由度をもたせるようにしたものがある（特許文献１参照）。
【先行技術文献】
【特許文献】
【０００３】
【特許文献１】特開２００５−６８５６２号公報
【発明の概要】
【発明が解決しようとする課題】
【０００４】保護パッドは膝への負担を軽減するために有効であるが、特許文献１に記載の衣服（ズボン）は、保護パッドの着脱が容易でないこと、作業中の保護パッドのずれ、外れによる紛失という問題がある。特に急な屈伸や捻りなどを繰り返していると、これらの起こる可能性は高くなる。
また、気温（室温）や湿度の高い時期、場所での作業中は汗をかきやすくなるので、作業用ズボンは蒸れによる不快感の解消、作業効率向上を考慮する必要があるが、特許文献１に記載の衣服（ズボン）は、この点も対策されていないという問題がある。
以上から、膝への負担を軽減するだけでなく、容易に着脱され、作業中のずれ、外れを防ぎ、かつ蒸れ対策がされた、保護パッドを利用した作業ズボンを提供することが課題である。
【課題を解決するための手段】
【０００５】上記課題を解決するために、本発明は以下の手段を有する。【０００６】第一の手段として、表身頃と裏身頃からなり、通気孔を有した略平板形状の弾性部材が表身頃の膝部の内側に接続されたことを特徴とする。【０００７】第二の手段として、表身頃の水平方向は弾性部材の水平方向よりも長く、弾性部材の両側面及び底面は伸縮性を有した当て生地で覆われ、表身頃の水平方向の余長に当て生地が接続されたことを特徴とする。【０００８】第三の手段として、はぎの折り返しが表身頃及び裏身頃の端に接続されたことを特徴とする。【０００９】第四の手段として、裏身頃と別の部位が重なる箇所に開口部を設け、開口部をメッシュ生地で覆い、メッシュ生地が裏身頃に直接または接続部を介して接続されたことを特徴とする。【００１０】第五の手段として、開口部が裏身頃の膝裏部または腰部に設けられたことを特徴とする。
【発明の効果】
【００１１】本発明によれば通気孔を有した保護パッドが表身頃に一体となって接続されているため、蒸れによる不快感の解消、作業効率向上をはかることができ、保護パッドの着脱の必要もなく、保護パッドの作業中のずれ、外れが起こることもない。【００１２】保護パッドの両側面及び底面が伸縮性のある当て生地で覆われていることで、作業中に膝が曲がった際でも膝を保護することができる。かつ膝が強く当たっても保護パッドの形状が大きく変形しないので、保護パッドの意匠性を保つことができる。【００１３】折り返しが表身頃及び裏身頃の端に接続されているため、はぎがマチの効果を奏することになり、作業ズボンの着用者の体型が異なっても、保護パッドの位置を一定にすることができる。【００１４】裏身頃の開口部が身体側からメッシュ生地で覆われることで、通気性が良くなり、更に蒸れによる不快感の解消、作業効率向上をはかることができる。
【図面の簡単な説明】
【００１５】
【図１】本発明の作業用ズボンを示す正面図である。
【図２】本発明の作業用ズボンを示す背面図である。
【図３】図１における膝部のＡ−Ａ断面図である。
【図４】保護パッドと当て生地の位置関係を示す平面図である。
【図５】図２における膝裏部の拡大図である。
【図６】図２における腰部の拡大図である。
【発明を実施するための形態】
【００１６】以下、本発明の実施の形態を図面により説明する。なお、本記載は、特許請求の範囲を示した例であり、特許請求の範囲を本記載に限定することを意味するものではない。
【００１７】図１、２はそれぞれ本発明の作業用ズボンを示す正面図、背面図である。
作業用ズボン１は表身頃２、裏身頃３、膝裏部身頃４、腰部ヨーク５及び開口部６から構成される。裏身頃３、腰部ヨーク５はそれぞれ膝裏部身頃４、裏身頃２の上に重なっており、それぞれの下端のうち膝裏部身頃４、裏身頃２と重なっていない箇所が開口部６を形成している。
表身頃２のうち膝を中心に周辺を含む箇所を膝部１０、裏身頃４のうら膝裏を中心に周辺を含む箇所を膝裏部２０、腰部ヨーク５を中心に周辺を含む箇所を腰部３０と、それぞれ称する。
【００１８】膝部１０の内側（身体側）には図１において破線で示す保護パッド（弾性部材）１１が接続される。保護パッド（弾性部材）１１の詳細は図３及び４により後述する。
【００１９】図３は図１における膝部１０のＡ−Ａ断面図であり、裾側から腰部３０を見た状態を示している。
表身頃２の内側（身体側）に略平板形状の弾性部材である保護パッド（弾性部材）１１が接続され、保護パッド（弾性部材）１１は両側面１１Ｃ及び底面１１Ｄが伸縮性を有した当て生地１２で覆われている。
表身頃２及び当て生地１２はそれぞれの厚さも表現しており、保護パッド（弾性部材）１１の天井面１１Ｂ、両側面１１Ｃ及び底面１１Ｄを表す外形線は表身頃２及び当て生地１２の外形線と共用で表現している。
【００２０】保護パッド（弾性部材）１１は天井面１１Ｂと底面１１Ｄ間を貫通する通気孔１１Ａを有する。
【００２１】表身頃２の水平方向の長さは保護パッド（弾性部材）１１の水平方向の長さよりも長くする。これにより表身頃２の内側（身体側）は保護パッド（弾性部材）１１の天井面１１Ｂに接続されない箇所を有する。この箇所が余長２Ａになる。
当て生地１２の水平方向の両端は余長２Ａに接続される。
【００２２】図４は保護パッド（弾性部材）１１と当て生地１２の位置関係を示す図面であり、図３において保護パッド（弾性部材）１１の天井面１１Ｂから内側（身体側）を見た状態を示している。
保護パッド（弾性部材）１１は両側面１１Ｃ及び１１Ｄが当て生地１２で覆われており、天井面１１Ｂの開口が底面１１Ｄの開口まで貫通して通気孔１１Ａを形成している。
当て生地１２の水平方向の両端が保護パッド（弾性部材）１１の余長２Ａに接続される。
【００２３】図３に示すように表身頃２、保護パッド（弾性部材）１１及び当て生地１２は内側（身体側）に向かい略凸形状を形成する。
【００２４】以上の構成により、通気孔１１Ａを有した保護パッド（弾性部材）１１が表身頃２に一体となって接続されているため、蒸れによる不快感の解消、作業効率向上をはかることができ、保護パッド（弾性部材）１１の着脱の必要もなく、保護パッド（弾性部材）１１の作業中のずれ、外れが起こることもない。
【００２５】保護パッド（弾性部材）１１の両側面１１Ｃ及び底面１１Ｄが伸縮性のある当て生地１２で覆われていることで、作業中に膝が曲がった際でも膝を保護することができる。かつ膝が強く当たっても保護パッド（弾性部材）１１の形状が大きく変形しないので、保護パッド（弾性部材）１１の意匠性を保つことができる。
【００２６】保護パッド（弾性部材）１１は略平板形状が好ましいが、厚さを有し、通気孔１１Ａを有することが可能な形状であれば、他の形状でもかまわない。
【００２７】図３及び４に示すように、通気孔１１の配置は蒸れによる不快感の解消を考慮すると規則的にするのが好ましいが、特定部位の蒸れを解消するのであれば集中してもかまわない。
【００２８】通気孔１１Ａの代わりに、天井面１１Ｂまたは底面１１Ｄを開口し、開口から対向する面に向かい途中でとまる穴としても良い。
【００２８】当て生地１２の厚さは軽量化、動きやすさを考慮するとできるだけ薄いほうが好ましいが、必ずしも薄くなければいけないものでない。
【００２９】表身頃２の水平方向の両端と当て生地１２の水平方向の両端は一致することが好ましい。
【００３０】図３に示すように、折り返し１３Ａを有したはぎ１３を設けて、はぎ１３により表身頃２と裏身頃３を接続してもよい。折り返し１３Ａが表身頃２と裏身頃３の端に接続されることで、表身頃２と裏身頃３が接続される。
【００３１】折り返し１３Ａが表身頃２及び裏身頃３の端に接続されているため、はぎ１３がマチの効果を奏することになり、作業ズボン１の着用者の体型が異なっても、保護パッド（弾性部材）１１の位置を一定にすることができる。
【００３２】折り返し１３Ａの両端、表身頃２の水平方向の両端及び当て生地１２の水平方向の両端は一致することが好ましい。
【００３３】本発明の作業用ズボン１は、更に蒸れによる不快感の解消、作業効率向上をはかるために、裏身頃３と別の部位が重なる箇所に開口部６を設け、開口部６を通気性を有したメッシュ生地で覆い、メッシュ生地が裏身頃３に直接または接続部を介して接続されてもよい。
開口部６は裏身頃３の膝裏部２０または腰部３０に設ける。
【００３４】開口部６を膝裏部２０に設けた場合を図５により説明する。
図５は図２における膝裏部２０の拡大図である。
（ａ）に示すように、裏身頃３は膝裏部身頃４の上に重なっており、下端のうち膝裏部身頃４と重なっていない箇所が開口部６を形成している。開口部６はメッシュ生地である膝裏部メッシュ（メッシュ生地）２１で覆われている。
（ｂ）は、（ａ）の円で囲まれた箇所を斜めから拡大した図である。
膝裏部メッシュ（メッシュ生地）２１が裏身頃３の内側（身体側）に直接接続され、膝裏部メッシュ（メッシュ生地）２１に膝裏部身頃４が接続され、裏身頃３の内側（身体側）に別の部位（膝裏部身頃４）が接続される。それぞれの接続箇所は破線で示している。
【００３５】これらの構成により、通気性を確保することができ、更に蒸れによる不快感の解消、作業効率向上をはかることができる。
開口部６は裏身頃３の膝裏部２０に設けられているため、着用時の妨げにならず、意匠性を損なうこともない。
【００３６】膝裏部メッシュ（メッシュ生地）２１における裏身頃３、膝裏部身頃４の接続箇所は裏身頃３の接続箇所のほうが上であればよいが、接続箇所間の長さ（上下方向の間隔）は通気性の確保を考慮するとできるだけ長いほうが好ましい。
【００３７】それぞれの接続は逢着であることが好ましい。
【００３８】開口部６を腰部３０に設けた場合を図６により説明する。
図６は図２における腰部３０の拡大図である。
（ａ）に示すように、腰部ヨーク５は下端に設けたカンドメ３３により裏身頃３の上に重なっており、下端のうち裏身頃３と重なっていない箇所が開口部６を形成している。開口部６はメッシュ生地である腰部メッシュ（メッシュ生地）３１で覆われている。
腰部メッシュ（メッシュ生地）３１は腰部メッシュ接続部３２に接続され、腰部メッシュ接続部３２は裏身頃３に接続される。
（ｂ）は、（ａ）の円で囲まれた箇所を斜めから拡大した図である。
腰部ヨーク５の内側（身体側）に設けられた腰部メッシュ（メッシュ生地）３１に腰部メッシュ接続部３２が接続され、腰部メッシュ接続部３２に裏身頃３が接続され、腰部ヨーク５の内側（身体側）に別の部位（裏身頃３）が接続される。腰部メッシュ（メッシュ生地）３１は腰部ヨーク５に接続されていない。それぞれの接続箇所は破線で示している。腰部メッシュ（メッシュ生地）３１は裏身頃３に直接接続されておらず、腰部メッシュ接続部３２を介して接続される。
【００３９】これらの構成により、通気性を確保することができ、更に蒸れによる不快感の解消、作業効率向上をはかることができる。
開口部６は裏身頃３の腰部３０に設けられているため、着用時の妨げにならず、意匠性を損なうこともない。
【００３６】腰部メッシュ（メッシュ生地）３１における腰部メッシュ接続部３２の接続箇所は通気性の確保を考慮するとできるだけ下側（裏身頃３側）のほうが好ましい。
【００３７】腰部メッシュ接続部３２の厚さ（背面側と内側（身体側）の長さ）は通気性の確保を考慮するとできるだけ長いほうが好ましい。
【００３８】それぞれの接続は逢着であることが好ましい。
【符号の説明】
【００３９】１      作業用ズボン
２      表身頃
２Ａ    余長
３      裏身頃
４      膝裏部身頃
５      腰部ヨーク
６      開口部
１０    膝部
１１    保護パッド（弾性部材）
１１Ａ  通気孔
１１Ｂ  天井面
１１Ｃ  側面
１１Ｄ  底面
１２    当て生地
１３    はぎ
１３Ａ  折り返し
２０    膝裏部
２１    膝裏部メッシュ（メッシュ生地）
３０    腰部
３１    腰部メッシュ（メッシュ生地）
３２    腰部メッシュ接続部
３３    カンドメ
【図１】
2017186713.tif 000003
【図２】
2017186713.tif 000004
【図３】
2017186713.tif 000005
【図４】
2017186713.tif 000006
【図５】
2017186713.tif 000007
【図６】
2017186713.tif 000008